(57)【特許請求の範囲】
【請求項１】
板材に形成された貫通孔に対して挿入係止され内側に電線が挿通される筒状のグロメット本体と、当該グロメット本体上に設けられ前記グロメット本体に挿通される電線を少なくとも２方向に分岐可能な筒体を有したグロメットであって、
前記筒体は、前記グロメット本体から延びる一側の円弧片と前記一側の円弧片よりも長い他側の円弧片とにより構成されており、当該筒体を筒軸が折れ曲がる方向に屈曲させるときに、屈曲内側となる前記一側の円弧片に屈曲内側の膨出を抑える易屈曲部を屈曲内側に備える
ことを特徴とするグロメット。
【請求項２】
前記易屈曲部は、前記筒体の屈曲内側となる一側の円弧片の端部から円弧根元側に向かって略Ｖ字状に切り込まれた切り込み部で構成されている
ことを特徴とする請求項１に記載のグロメット。
【請求項３】
前記易屈曲部は、前記一側の円弧片の端部から円弧根元側に向かって形成された複数のスリットをさらに有し、
前記切り込み部は、当該複数のスリットの間に形成されている
ことを特徴とする請求項２に記載のグロメット。
【請求項４】
前記易屈曲部は、前記筒体の内側に凹むようにＶ字状に折れ曲がった折れ曲がり部である
ことを特徴とする請求項１に記載のグロメット。
【請求項５】
前記一側の円弧片が自然状態であるときにグロメット本体の挿入方向と直交する方向から側面視した場合、前記一側の円弧片の端部のうち前記折れ曲がり部の端部は、前記折れ曲がり部以外の端部よりも、前記グロメット本体から前記挿入方向反対側に離間している
ことを特徴とする請求項４に記載のグロメット。
【請求項６】
板材に形成された貫通孔に対して挿入係止され内側に電線が挿通される筒状のグロメット本体と、当該グロメット本体上に設けられ前記グロメット本体に挿通される電線を少なくとも２方向に分岐可能な筒体を有したグロメットであって、
前記筒体は、当該筒体を筒軸が折れ曲がる方向に屈曲させるときに、屈曲内側の膨出を抑える易屈曲部を屈曲内側に備え、
前記筒体は、前記グロメット本体から延びる一側の円弧片と他側の円弧片とにより構成されており、
前記易屈曲部は、前記筒体の屈曲内側となる一側の円弧片の端部から円弧根元側に向かって略Ｖ字状に切り込まれた切り込み部で構成され、
前記易屈曲部は、前記一側の円弧片の端部から円弧根元側に向かって形成された複数のスリットをさらに有し、
前記切り込み部は、当該複数のスリットの間に形成されている
ことを特徴とするグロメット。
【請求項７】
板材に形成された貫通孔に対して挿入係止され内側に電線が挿通される筒状のグロメット本体と、当該グロメット本体上に設けられ前記グロメット本体に挿通される電線を少なくとも２方向に分岐可能な筒体を有したグロメットであって、
前記筒体は、当該筒体を筒軸が折れ曲がる方向に屈曲させるときに、屈曲内側の膨出を抑える易屈曲部を屈曲内側に備え、
前記易屈曲部は、前記筒体の内側に凹むようにＶ字状に折れ曲がった折れ曲がり部であり、
前記筒体は、前記グロメット本体から延びる一側の円弧片と他側の円弧片とにより構成されており、
前記折れ曲がり部は、前記筒体の屈曲内側となる一側の円弧片に形成されると共に、
前記一側の円弧片が自然状態であるときにグロメット本体の挿入方向と直交する方向から側面視した場合、前記一側の円弧片の端部のうち前記折れ曲がり部の端部は、前記折れ曲がり部以外の端部よりも、前記グロメット本体から前記挿入方向反対側に離間している
ことを特徴とするグロメット。
【発明の詳細な説明】
【技術分野】
【０００１】
本発明は、グロメットに関する。
【背景技術】
【０００２】
従来、車体パネルの貫通孔に挿入係止され内側にワイヤーハーネスが挿通される筒状のグロメット本体と、当該グロメット本体上に設けられ前記グロメット本体に挿通されるワイヤーハーネスを２方向に分岐可能な筒体を有したグロメットが提案されている（例えば特許文献１，２参照）。
【先行技術文献】
【特許文献】
【０００３】
【特許文献１】特開２００９−１３６１０７号公報
【特許文献２】特許第４３５３１３６号公報
【発明の概要】
【発明が解決しようとする課題】
【０００４】
しかし、特許文献１，２に記載のグロメットでは、グロメット本体に挿通されるワイヤーハーネスを対向する２方向（１８０°離れた２方向）に分岐することしか想定しておらず、筒体を折り曲げて例えばワイヤーハーネスを９０°離れた２方向に分岐することは想定されていない。このため、特許文献１，２に記載のグロメットにおいて筒体を折り曲げて例えばワイヤーハーネスを９０°離れた２方向に分岐させようとした場合、屈曲内側において筒体が圧縮されて膨らむようになってしまい、屈曲し難くなる。さらに、屈曲させた状態でテープ巻き等を行って固定したとしても、屈曲内側が圧縮状態となっていることから筒体には真直ぐになろうとする力が働いてしまい、屈曲状態を維持し難くなってしまう。
【０００５】
なお、この問題は車両用のグロメットに限らず、医療用やロボットなどの他の用途に用いられるグロメットにおいても共通する問題である。よって、挿通される電線はワイヤーハーネスに限られるものではない。
【０００６】
本発明はこのような従来の課題を解決するためになされたものであり、その発明の目的とするところは、グロメット本体上に設けられた筒体について屈曲させ易く且つ屈曲状態を維持し易くすることが可能なグロメットを提供することにある。
【課題を解決するための手段】
【０００７】
本発明のグロメットは、板材に形成された貫通孔に対して挿入係止され内側に電線が挿通される筒状のグロメット本体と、当該グロメット本体上に設けられ前記グロメット本体に挿通される電線を少なくとも２方向に分岐可能な筒体を有したグロメットであって、前記筒体は、前記グロメット本体から延びる一側の円弧片と前記一側の円弧片よりも長い他側の円弧片とにより構成されており、当該筒体を筒軸が折れ曲がる方向に屈曲させるときに、屈曲内側となる前記一側の円弧片に屈曲内側の膨出を抑える易屈曲部を屈曲内側に備えることを特徴とする。
【０００８】
このグロメットによれば、筒体は、当該筒体を屈曲させるときに、屈曲内側の膨出を抑える易屈曲部を屈曲内側に備えるため、筒体を屈曲させたときに膨出が抑えられて筒体を屈曲させ易くすることができる。また、膨出を抑えることから屈曲内側の圧縮状態を緩和することとなり、屈曲状態を維持し易くすることができる。従って、グロメット本体上に設けられた筒体について屈曲させ易く且つ屈曲状態を維持し易くすることが可能なグロメットを提供することができる。
【０００９】
また、本発明のグロメットにおいて、前記易屈曲部は、前記筒体の屈曲内側となる一側の円弧片の端部から円弧根元側に向かって略Ｖ字状に切り込まれた切り込み部で構成されていることが好ましい。
【００１０】
このグロメットによれば、易屈曲部は筒体の屈曲内側となる一側の円弧片の端部から円弧根元側に向かって略Ｖ字状に切り込まれた切り込み部で構成されているため、屈曲時に膨出し易い部位がＶ字状に切り取られた状態となっており、屈曲させ易く、且つ、膨出量を抑えることとなる。従って、筒体について屈曲させ易く且つ屈曲状態を維持し易くすることが可能なグロメットを提供することができる。
【００１１】
また、本発明のグロメットにおいて、前記易屈曲部は、前記一側の円弧片の端部から円弧根元側に向かって形成された複数のスリットをさらに有し、前記切り込み部は、当該複数のスリットの間に形成されていることが好ましい。
【００１２】
このグロメットによれば、易屈曲部は、一側の円弧片の端部から円弧根元側に向かって形成された複数のスリットをさらに有するため、屈曲時において屈曲内側を圧縮しようとする力はスリットによって逃げることとなり、圧縮が発生し難くなる結果、筒体を屈曲させ易くすることができる。また、切り込み部は複数のスリットの間に形成されているため、スリット同士の間という力の逃げ部が存在しない箇所において切り込み部により屈曲させ易く、且つ、膨出量を抑える構造とすることができる。
【００１３】
また、本発明のグロメットにおいて、前記易屈曲部は、前記筒体の内側に凹むようにＶ字状に折れ曲がった折れ曲がり部であることが好ましい。
【００１４】
このグロメットによれば、易屈曲部は、筒体の内側に凹むようにＶ字状に折れ曲がった折れ曲がり部であるため、屈曲時にはＶ字の頂点部を起点として屈曲し易くできると共に屈曲後においては頂点部により屈曲内側が膨出するのではなく奥まるように癖づけられることとなる。従って、筒体について屈曲させ易く且つ屈曲状態を維持し易くすることが可能なグロメットを提供することができる。
【００１５】
また、本発明のグロメットにおいて、前記一側の円弧片が自然状態であるときにグロメット本体の挿入方向と直交する方向から側面視した場合、前記一側の円弧片の端部のうち前記折れ曲がり部の端部は、前記折れ曲がり部以外の端部よりも、前記グロメット本体から前記挿入方向反対側に離間していることが好ましい。
【００１６】
このグロメットによれば、折れ曲がり部の端部は、折れ曲がり部以外の端部よりも、グロメット本体から挿入方向反対側に離間しているため、一側の円弧片はその長手方向の端部側が中央側よりも短い構成となる。このように短く構成すると、長手方向の端部側においては一側の円弧片と他側の円弧片とのラップ部分が少なくなり、電線を納めた状態でテープ巻きをする際にはテープ巻きし易くすることができる。従って、筒体の長手方向端部側におけるテープ巻きの作業性を向上させることができる。
【発明の効果】
【００１７】
本発明によれば、グロメット本体上に設けられた筒体について屈曲させ易く且つ屈曲状態を維持し易くすることが可能なグロメットを提供することができる。
【図面の簡単な説明】
【００１８】
【図１】本発明の実施形態に係るグロメットを示す上面図である。
【図２】図１に示したグロメットの側面図である。
【図３】図１に示したグロメットの円弧片同士が結合されていないときの状態を示す上面図である。
【図４】図１に示したグロメットの円弧片同士が結合されていないときの状態を示す構成図であり、図３のＡ矢視図である。
【図５】図１に示したグロメットの円弧片同士が結合されていないときの状態を示す構成図であり、図３のＢ矢視図である。
【図６】比較例に係るグロメットの筒体の屈曲時を示す斜視図である。
【図７】図１に示したグロメットの屈曲時の様子を示す斜視図である。
【図８】第２実施形態に係るグロメットの円弧片同士が結合されていないときの状態を示す上面図である。
【図９】第２実施形態に係るグロメットの円弧片同士が結合されていないときの状態を示す構成図であり、図８のＡ矢視図である。
【図１０】第２実施形態に係るグロメットの円弧片同士が結合されていないときの状態を示す構成図であり、図８のＢ矢視図である。
【発明を実施するための形態】
【００１９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００２０】
図１は、本発明の実施形態に係るグロメットを示す上面図であり、図２は、図１に示したグロメットの側面図である。図１及び図２に示すように、本実施形態に係るグロメット１は、車体パネルなどの板材に対して設けられた貫通孔に挿入係止されると共に内部に電線Ｗを挿通可能な電線外装部品であって、概略的にグロメット本体１０と、筒体２０とから構成されている。
【００２１】
グロメット本体１０は、貫通孔に挿入係止され内側に電線Ｗが挿通される筒状の樹脂部材であって、概略的に縮径部１１と、拡径部１２とからなっている。縮径部１１は、グロメット１の貫通孔への挿入側端部に位置する部位であって、拡径部１２よりも径が小さい筒部材である。拡径部１２は、縮径部１１の一端に連続して形成され、縮径部１１よりも径が大きい筒部材である。この拡径部１２は、環状溝からなる係止部１３を有している。この係止部１３が板材の貫通孔に嵌ることで、グロメット１は貫通孔に挿入係止された状態となる。
【００２２】
筒体２０は、グロメット本体１０上に設けられグロメット本体１０に挿通される電線Ｗを２方向に分岐する樹脂部材である。本実施形態において筒体２０は、グロメット本体１０から延び、断面円弧状となる一側の円弧片２１と他側の円弧片２２とを備えており、これら円弧片２１，２２を組み合わせて結合することにより筒体２０が構成される。
【００２３】
図３〜図５は、図１に示したグロメットの円弧片２１，２２同士が結合されていないときの状態を示す構成図であり、図３は上面図であり、図４は図３のＡ矢視図であり、図５は図３のＢ矢視図である。
【００２４】
本実施形態において筒体２０は、円弧片２１，２２の一方に他方を重ね合わせてテープ巻きすることで形成されるものであり、図３〜図５に示すように、他側の円弧片２２は、一側の円弧片２１よりも長く形成されている。このため、一側の円弧片２１上に他方の円弧片２２を重ねたうえで、テープ巻きが行われることとなる。
【００２５】
なお、本実施形態において円弧片２１，２２は、一方に他方を重ね合わせてテープ巻きすることで結合状態とし、外形的に筒形状としているが、これに限らず、所定の係止部や係止器具を利用して両者を結合したものであってもよい。また、筒体２０は、円弧片２１，２２同士を結合させることで構成されるものに限らず、例えば特許文献１の図４等に示すように、筒長手方向に直線状に切り込みが形成されて一方側が一側の円弧片２１であり、他方側が他側の円弧片２２であり、自然状態で概略筒状となる構成のものであってもよい。
【００２６】
さらに、本実施形態では他側の円弧片２２は一側の円弧片２１よりも長く（高く）構成されている。これにより、被水方向に応じた配置を行うことができ防水性能の向上を図ることができる。例えば、図１に示す例においては、図面上側から雨水等の水を被水する配置となっている。他側の円弧片２２は一側の円弧片２１よりも長くなっており、一側の円弧片２１の上に被せられる。このように、他側の円弧片２２の端部２２ａが被水し難く、且つ、一側の円弧片２１の方が上となっていないことから、好適に防水することができる。
【００２７】
ここで、比較例に係るグロメットを説明する。図６は、比較例に係るグロメットの筒体の屈曲時を示す斜視図である。図６に示すように、比較例に係るグロメット１００は、筒体１２０に後述の易屈曲部３０を備えていない。このため、貫通孔が形成される板材の平面方向（すなわち貫通孔に対する挿入方向に直交する平面に沿った方向）に筒体１２０を屈曲させた場合、屈曲内側において筒体１２０が圧縮されて膨出部Ｅが形成されてしまい、屈曲形状を実現し難くなる。さらに、屈曲させた状態でテープ巻き等を行って固定したとしても、膨出部Ｅが圧縮状態となっていることから筒体１２０には真直ぐになろうとする力が働いてしまい、屈曲状態を維持し難くなってしまう。
【００２８】
そこで、本実施形態において筒体２０は、易屈曲部３０を備えている。易屈曲部３０は、筒体２０を筒軸が折れ曲がる方向（本実施形態では板材の平面方向）に屈曲させるときに、屈曲内側の膨出を抑える機能部である。
【００２９】
具体的に易屈曲部３０は、図３及び図４に示すように、筒体２０の屈曲内側となる一側の円弧片２１の端部２１ａから円弧根元側に向かって略Ｖ字状に切り込まれた切り込み部３１で構成されている。さらに、易屈曲部３０は、一側の円弧片２１の端部２１ａから円弧根元側に向かって延びて形成された複数（２つ）のスリット３２を有し、切り込み部３１は、複数のスリット３２の間に形成されている。
【００３０】
次に、本実施形態に係るグロメット１の作用を説明する。図７は、図１に示したグロメットの屈曲時の様子を示す斜視図である。図７に示すように、本実施形態に係るグロメット１において、一側の円弧片２１が屈曲内側となるように筒体２０が屈曲させられたとする。ここで、一側の円弧片２１には、略Ｖ字状に切り込まれた切り込み部３１が形成されており、屈曲時に膨出し易い部位がＶ字状に切り取られた状態となっている。このため、屈曲時において屈曲内側が膨出し難く、屈曲させ易くなる。また、膨出量を抑えることから、屈曲状態を維持し易くなる。
【００３１】
さらに、一側の円弧片２１には、複数のスリット３２が形成されている。このため、屈曲時において屈曲内側を圧縮しようとする力はスリット３２によって逃げることとなり、圧縮が発生し難くなる結果、筒体２０を屈曲させ易くすることができる。また、圧縮が発生し難くなる結果、屈曲内側の膨出量を抑えて屈曲状態を維持し易くなる。特にスリット３２の大きさを適切にすれば、図７に示すように、屈曲内側が殆ど膨出することなく、他側の円弧片２２を電線側に略密着するようにすることもできる。
【００３２】
このようにして、本実施形態に係るグロメット１によれば、筒体２０は、当該筒体２０を屈曲させるときに、屈曲内側の膨出を抑える易屈曲部３０を屈曲内側に備えるため、筒体２０を屈曲させたときに膨出が抑えられて筒体２０を屈曲させ易くすることができる。また、膨出を抑えることから屈曲内側の圧縮状態を緩和することとなり、屈曲状態を維持し易くすることができる。従って、グロメット本体１０上に設けられた筒体２０について屈曲させ易く且つ屈曲状態を維持し易くすることが可能なグロメット１を提供することができる。
【００３３】
また、易屈曲部３０は筒体２０の屈曲内側となる一側の円弧片２１の端部２１ａから円弧根元側に向かって略Ｖ字状に切り込まれた切り込み部３１で構成されているため、屈曲時に膨出し易い部位がＶ字状に切り取られた状態となっており、屈曲させ易く、且つ、膨出量を抑えることとなる。従って、筒体２０について屈曲させ易く且つ屈曲状態を維持し易くすることが可能なグロメット１を提供することができる。
【００３４】
また、易屈曲部３０は、一側の円弧片２１の端部２１ａから円弧根元側に向かって形成された複数のスリット３２をさらに有するため、屈曲時において屈曲内側を圧縮しようとする力はスリット３２によって逃げることとなり、圧縮が発生し難くなる結果、筒体２０を屈曲させ易くすることができる。また、切り込み部３１は複数のスリット３２の間に形成されているため、スリット３２同士の間という力の逃げ部が存在しない箇所において切り込み部３１により屈曲させ易く、且つ、膨出量を抑える構造とすることができる。
【００３５】
次に、第２実施形態に係るグロメットを説明する。第２実施形態に係るグロメットは第１実施形態のものと同様であるが、構成が一部異なっている。以下、第１実施形態との相違点を説明する。なお、以下において第１実施形態と同じ構成には同じ符号を付すものとする。
【００３６】
図８〜図１０は、第２実施形態に係るグロメットの円弧片２１，２２同士が結合されていないときの状態を示す構成図であり、図８は上面図であり、図９は図８のＡ矢視図であり、図１０は図８のＢ矢視図である。
【００３７】
図８〜図１０に示すように、第２実施形態に係るグロメット２において易屈曲部３０は、筒体２０の内側に凹むようにＶ字状に折れ曲がった折れ曲がり部３３で構成されている。ここで、折れ曲がり部３３は、Ｖ字であるため頂点部３４を有し、頂点部３４が折れ曲がりの起点となる構造となっている。なお、この折れ曲がり部３３は、一側の円弧片２１に形成されているが、これに限らず、他側の円弧片２２に形成されていてもよい。
【００３８】
さらに、図８〜図１０に示すように、一側の円弧片２１及び他側の円弧片２２は、長手方向の端部側よりも中央側の方が長く形成されている。一側の円弧片２１を例に説明すると、筒体２０は、一側の円弧片２１が自然状態であるときにグロメット本体１０の挿入方向と直交する方向から側面視した場合（すなわち図９に示す状態において）、一側の円弧片２１の端部２１ａのうち折れ曲がり部３３の端部３３ａは、折れ曲がり部３３以外の端部２１ｂよりも、グロメット本体１０から挿入方向反対側に離間している。
【００３９】
具体的に説明すると、折れ曲がり部３３の端部３３ａは、グロメット本体１０から挿入方向反対側に距離Ｌ１となっている。これに対して、折れ曲がり部３３以外の端部２１ｂはグロメット本体１０から挿入方向反対側に距離Ｌ２（＜Ｌ１）となっている。従って、縮径部１１を下側とした場合、折れ曲がり部３３の端部３３ａは折れ曲がり部３３以外の端部２１ｂよりも高く位置する。他側の円弧片２２も同様である。これにより、テープ巻きの作業性を向上させるようにしている。
【００４０】
次に、第２実施形態に係るグロメット２の作用を説明する。第２実施形態に係るグロメット１において、一側の円弧片２１が屈曲内側となるように筒体２０が屈曲させられたとする。ここで、一側の円弧片２１には、筒体２０の内側に凹むようにＶ字状に折れ曲がった折れ曲がり部３３が形成されている。このため、屈曲時においてはＶ字の頂点部３４が折れ曲がりの起点となり屈曲し易くすることができる。また、屈曲後においては頂点部３４により屈曲内側が膨出するのではなく奥まるように癖づけられることとなる。このため、屈曲状態を維持し易くなる。
【００４１】
さらに、筒体２０に電線を納めた状態でテープ巻きを行う場合、一側の円弧片２１と他側の円弧片２２とのラップ部分をしっかりとラップ状態で維持したままテープ巻きをしなければならない。このため、ラップ部分が大きくなると大きいラップ部分をラップ状態で維持するために固定箇所が増加等することとなり、テープ巻きの作業性が低下し易い。しかし、第２実施形態に係るグロメット２は、一側の円弧片２１及び他側の円弧片２２について、長手方向の端部側よりも中央側の方が長く形成されていることから、テープ巻きの重要な箇所となる長手方向の端部側においてテープ巻きし易い構造となっており、テープ巻きの作業性が向上することとなる。
【００４２】
このようにして、第２実施形態に係るグロメット２によれば、第１実施形態と同様に、グロメット本体１０上に設けられた筒体２０について屈曲させ易く且つ屈曲状態を維持し易くすることが可能なグロメット２を提供することができる。
【００４３】
さらに、第２実施形態によれば、易屈曲部３０は、筒体２０の内側に凹むようにＶ字状に折れ曲がった折れ曲がり部３３であるため、屈曲時にはＶ字の頂点部３４を起点として屈曲し易くできると共に屈曲後においては頂点部３４により屈曲内側が膨出するのではなく奥まるように癖づけられることとなる。従って、筒体２０について屈曲させ易く且つ屈曲状態を維持し易くすることが可能なグロメット２を提供することができる。
【００４４】
また、折れ曲がり部３３の端部３３ａは、折れ曲がり部３３以外の端部２１ｂよりも、グロメット本体１０から挿入方向反対側に離間しているため、一側の円弧片２１はその長手方向の端部側が中央側よりも短い構成となる。このように短く構成すると、長手方向の端部側においては一側の円弧片２１と他側の円弧片２２とのラップ部分が少なくなり、電線Ｗを納めた状態でテープ巻きをする際にはテープ巻きし易くすることができる。従って、筒体２０の長手方向端部側におけるテープ巻きの作業性を向上させることができる。
【００４５】
以上、実施形態に基づき本発明を説明したが、本発明は上記実施形態に限られるものではなく、本発明の趣旨を逸脱しない範囲で、変更を加えてもよいし、実施形態同士を組み合わせてもよい。また、公知等の他の技術を組み合わせてもよい。
【００４６】
例えば、上記実施形態では、筒体２０を板材の平面方向に屈曲させるため、筒体２０の側面（屈曲内側となる位置）に易屈曲部３０が形成されているが、筒体２０を板材から離間させる方向に屈曲させることが想定されるグロメット１において易屈曲部３０は、筒体２０の上面（グロメット本体１０と反対側であって、屈曲内側となる位置）に形成されることとなる。すなわち、上記実施形態において筒体２０は、その屈曲方向を問われるものではない。
【００４７】
上記実施形態では真直ぐな筒体２０を屈曲させる例を説明したが、これに限らず、本発明は、予め９０°等に屈曲した筒体２０を真直ぐとなるように折り曲げるものであってもよい。すなわち、筒体２０は屈曲前の形状が真直ぐに限られるものではない。
【００４８】
また、上記第１実施形態においてスリット３２は２つであるが、これに限らず、３つ以上であってもよい。また、３つ以上のスリット３２を有する場合、切り込み部３１は、３つ以上のスリット３２の間のいずれか１つ以上に配置されていればよい。
【００４９】
さらに、上記実施形態において易屈曲部３０は筒体２０に対して１つだけ設けられているが、これに限らず、複数設けられていてもよい。例えば、一側の円弧片２１に複数設けられていてもよいし、一側の円弧片２１及び他側の円弧片２２のそれぞれに１つずつ（複数ずつでも可）設けられていてもよい。
【００５０】
さらに、上記実施形態において筒体２０は、１本の筒を形成するため、電線Ｗを２方向に分岐可能する。しかし、これに限らず、筒体２０は、三又以上の筒であり、電線Ｗを３以上の方向に分岐可能となっていてもよい。
【符号の説明】
【００５１】
１，２：グロメット
１０  ：グロメット本体
１１  ：縮径部
１２  ：拡径部
１３  ：係止部
２０  ：筒体
２１  ：一側の円弧片
２１ａ：端部
２１ｂ：端部
２２  ：他側の円弧片
３０  ：易屈曲部
３１  ：切り込み部
３２  ：複数のスリット
３３  ：折れ曲がり部
３３ａ：端部
３４  ：頂点部
Ｗ    ：電線
【図１】
0006441848.tif 000002
【図２】
0006441848.tif 000003
【図３】
0006441848.tif 000004
【図４】
0006441848.tif 000005
【図５】
0006441848.tif 000006
【図６】
0006441848.tif 000007
【図７】
0006441848.tif 000008
【図８】
0006441848.tif 000009
【図９】
0006441848.tif 000010
【図１０】
0006441848.tif 000011